(57)【特許請求の範囲】
【請求項１】
建物の天井部側に設けられたレール部と、
前記建物の床部における前記レール部の建物下方側に設けられていると共に、建物上方側に突出された案内部と、
前記レール部の建物下方側に幅方向を当該レール部の長手方向とされてかつ下端面と前記床部との間に所定の間隔が設けられた状態で配置されていると共に、当該下端面に前記案内部を挿入可能とされた溝部が当該幅方向に沿って設けられた吊戸本体部と、
前記吊戸本体部の上部を前記レール部に吊り下げると共に、当該吊戸本体部を当該レール部に沿ってスライド移動可能とする吊車と、
前記下端面の建物下方側を流れる空気流の前記溝部への流入を抑制する流入抑制部と、
を有し、
前記流入抑制部は、前記溝部における前記空気流の上流側の周縁部に沿って設けられていると共に当該上流側の周縁部から前記溝部における前記空気流の下流側の周縁部に向かって延出された板状でかつ弾性を有する第１部材と、
前記下流側の周縁部に沿って設けられていると共に当該下流側の周縁部から前記上流側の周縁部に向かって延出された板状でかつ弾性を有する第２部材と、を備え、
前記第１部材における前記空気流の下流側の端部と前記第２部材における当該空気流の上流側の端部とが建物高さ方向に重なっている、
吊戸構造。
【請求項２】
建物の天井部側に設けられたレール部と、
前記建物の床部における前記レール部の建物下方側に設けられていると共に、建物上方側に突出された案内部と、
前記レール部の建物下方側に幅方向を当該レール部の長手方向とされてかつ下端面と前記床部との間に所定の間隔が設けられた状態で配置されていると共に、当該下端面に前記案内部を挿入可能とされた溝部が当該幅方向に沿って設けられた吊戸本体部と、
前記吊戸本体部の上部を前記レール部に吊り下げると共に、当該吊戸本体部を当該レール部に沿ってスライド移動可能とする吊車と、
前記下端面の建物下方側を流れる空気流の前記溝部への流入を抑制する流入抑制部と、
を有し、
前記流入抑制部は、前記溝部における前記空気流の上流側の周縁部に沿って配置されていると共に前記床部に向かって凸となる突条部とされており、
前記突条部は、前記吊戸本体部の幅方向から見た断面視で前記床部側に凸となる半円状に形成された弾性部材で構成されていると共に、
前記突条部の建物上方側の部分を構成する上壁部が前記下端面に接合されている、
吊戸構造。
【請求項３】
前記突条部は、前記吊戸本体部の厚さ方向の長さが前記溝部の前記上流側の周縁部から前記下端面における当該上流側の周縁部までの長さと同じ長さに設定されている、
請求項２に記載の吊戸構造。
【請求項４】
建物の天井部側に設けられたレール部と、
前記建物の床部における前記レール部の建物下方側に設けられていると共に、建物上方側に突出された案内部と、
前記レール部の建物下方側に幅方向を当該レール部の長手方向とされてかつ下端面と前記床部との間に所定の間隔が設けられた状態で配置されていると共に、当該下端面に前記案内部を挿入可能とされた溝部が当該幅方向に沿って設けられた吊戸本体部と、
前記吊戸本体部の上部を前記レール部に吊り下げると共に、当該吊戸本体部を当該レール部に沿ってスライド移動可能とする吊車と、
前記下端面の建物下方側を流れる空気流の前記溝部への流入を抑制する流入抑制部と、
を有し、
前記流入抑制部は、前記溝部を建物下方側から覆うと共に板厚方向を建物高さ方向とされた板状でかつ弾性を有する覆い部で構成されていると共に、当該覆い部には、前記吊戸本体部の幅方向に沿って前記案内部を挿入可能な長孔部が形成され、
前記覆い部は、前記下端面に接合されている、
吊戸構造。
【請求項５】
建物の空調対象となる複数の空間部にそれぞれ設けられ、当該建物に設置された空調室内機に接続されて当該空調室内機で生成された空調空気を当該空間部に供給する給気部と、
前記空調室内機に接続されて前記空間部の外側から当該空間部内の内気を取り込むと共に当該内気を還気として当該空調室内機に戻す還気部と、
前記空間部の出入り口及び当該空間部の間仕切り位置の少なくとも一方に配置されていると共に請求項１〜請求項４の何れか１項に記載の吊戸構造が適用された吊戸と、
を有する建物。
【発明の詳細な説明】
【技術分野】
【０００１】
本発明は、吊戸構造及びこれを備えた建物に関する。
【背景技術】
【０００２】
下記特許文献１には、通気遮音ドアに関する発明が開示されている。この通気遮音ドアでは、ドア本体の下端面に収納溝が形成されており、この収納溝の内側には、遮音部材が配置されている。そして、ドア閉止時には、遮音部材が床面に向かって移動し、遮音部材と収納溝との間に通気迂回路が確保された状態で、ドア本体の下端面と床面との隙間が遮音部材によって閉塞されるようになっている。このため、ドア閉止時には、通気迂回路によって空気の流入経路が確保される一方で、騒音は通気迂回路を通る際に内面反射によって減衰する。したがって、下記特許文献１に記載された通気遮音ドアでは、通気性と静粛性とを確保することが可能となっている。
【先行技術文献】
【特許文献】
【０００３】
【特許文献１】特開平８−２８４５４６号公報（図５）
【発明の概要】
【発明が解決しようとする課題】
【０００４】
しかしながら、上記特許文献１に開示された通気遮音ドアは、開き戸に対しては有効に機能するものの、吊戸には適用することができない。具体的に説明すると、吊戸は、その下端面の溝部に案内部が挿入されるため、溝部の内側に遮音部材を配置することができない。また、吊戸では溝部の下方側を空気流が流れると笛吹き音が発生し、静粛性が損なわれることが考えられる。
【０００５】
本発明は上記事実を考慮し、通気性と静粛性との両立を図ることができる吊戸構造を得ることが目的である。
【課題を解決するための手段】
【０００６】
第１の態様に係る吊戸構造は、建物の天井部側に設けられたレール部と、前記建物の床部における前記レール部の建物下方側に設けられていると共に、建物上方側に突出された案内部と、前記レール部の建物下方側に幅方向を当該レール部の長手方向とされてかつ下端面と前記床部との間に所定の間隔が設けられた状態で配置されていると共に、当該下端面に前記案内部を挿入可能とされた溝部が当該幅方向に沿って設けられた吊戸本体部と、前記吊戸本体部の上部を前記レール部に吊り下げると共に、当該吊戸本体部を当該レール部に沿ってスライド移動可能とする吊車と、前記下端面の建物下方側を流れる空気流の前記溝部への流入を抑制する流入抑制部と、を有している。
【０００７】
第１の態様に係る吊戸構造では、建物の天井部側にレール部が設けられており、当該建物の床部における当該レール部の建物下方側には、建物上方側に突出された案内部が設けられている。そして、レール部の建物下方側には、吊戸本体部がその幅方向をレール部の長手方向とされて配置されており、吊戸本体部の上部が吊車を介してレール部に吊り下げられている。一方、吊戸本体部の下端面には、案内部を挿入可能とされた溝部が吊戸本体部の幅方向に沿って設けられており、吊戸本体部は、溝部に挿入された案内部によって案内された状態で、レール部に沿ってスライド移動することが可能となっている。このため、本態様に係る吊戸構造では、開き戸を開閉する場合と比し、開閉の際の体の動きを少なくすることができる。また、吊戸本体部は、その下端面と床部との間に所定の間隔が設けられた状態で配置されているため、当該下端面と床部との間に空気の流入経路を確保することができる。
【０００８】
ところで、上述したような吊戸構造では、吊戸が閉止された状態において、空気流が吊戸本体部に設けられた溝部の建物下方側を流れると当該溝部の内側に空気流が流入し、笛吹き音が発生することが考えられる。
【０００９】
ここで、本態様では、流入抑制部によって、吊戸本体部の下端面の建物下方側を流れる空気流が、当該吊戸本体部の溝部の内側に流入するのを抑制することができる。その結果、吊戸本体部の建物下方側を流れる空気流による笛吹き音の発生を抑制することができる。
【００１０】
第２の態様に係る吊戸構造は、第１の態様に係る吊戸構造において、前記流入抑制部は、前記溝部における前記空気流の上流側の周縁部に沿って配置されていると共に前記床部に向かって凸となる突条部とされている。
【００１１】
第２の態様に係る吊戸構造では、床部に向かって凸となる突条部が、吊戸本体部の下端面に設けられた溝部における当該下端面の建物下方側を流れる空気流の上流側の周縁部に沿って配置されている。このため、吊戸本体部の下端面の建物下方側を流れる空気流は、突条部における当該空気流の上流側の面に当たることで当該突条部から剥離した状態となり、当該下端面から離れるように流れていく。
【００１２】
第３の態様に係る吊戸構造は、第２の態様に係る吊戸構造において、前記突条部は、前記吊戸本体部の厚さ方向の長さが前記溝部の前記上流側の周縁部から前記下端面における当該上流側の周縁部までの長さと同じ長さに設定されている。
【００１３】
第３の態様に係る吊戸構造では、突条部の吊戸本体部の厚さ方向の長さが、当該吊戸本体部の下端面に設けられた溝部における当該下端面の建物下方側を流れる空気流の上流側の周縁部から当該下端面における当該上流側の周縁部までの長さと同じ長さに設定されている。このため、突条部を吊戸本体部の下端面に配置するときには、当該下端面の周縁部及び当該下端面に設けられた溝部の周縁部を位置決めの基準として用いることができる。
【００１４】
第４の態様に係る吊戸構造は、第２の態様又は第３の態様に係る吊戸構造において、前記突条部は、前記吊戸本体部の幅方向から見た断面視で前記床部側に凸となる半円状に形成された弾性部材で構成されている。
【００１５】
第４の態様に係る吊戸構造では、突条部の吊戸本体部の幅方向から見た断面形状が床部側に凸となる半円状とされており、当該断面形状が矩形状等にされている場合と比し、当該突条部に沿って流れる空気流が乱流となることを抑制することができる。その結果、空気流が突条部の近傍を通過するときに風切り音が発生することを抑制することができる。また、突条部は、上述した断面形状とされていることに加え、弾性部材で構成されているため、使用者の足部の指等が当該突条部とぶつかっても当該足部が受ける衝撃が緩和される。
【００１６】
第５の態様に係る吊戸構造は、第１の態様に係る吊戸構造において、前記流入抑制部は、前記溝部における前記空気流の上流側の周縁部に沿って設けられていると共に当該上流側の周縁部から前記溝部における前記空気流の下流側の周縁部に向かって延出された板状でかつ弾性を有する第１部材と、前記下流側の周縁部に沿って設けられていると共に当該下流側の周縁部から前記上流側の周縁部に向かって延出された板状でかつ弾性を有する第２部材と、を備え、前記第１部材における前記空気流の下流側の端部と前記第２部材における当該空気流の上流側の端部とが建物高さ方向に重なっている。
【００１７】
第５の態様に係る吊戸構造では、吊戸本体部の下端面に設けられた溝部における当該下端面の建物下方側を流れる空気流の上流側の周縁部に、当該周縁部に沿って、板状でかつ弾性を有する第１部材が設けられている。この第１部材は、上記上流側の周縁部から上記溝部における上記空気流の下流側の周縁部に向かって延出されている。一方、上記溝部における上記空気流の下流側の周縁部には、当該周縁部に沿って、板状でかつ弾性を有する第２部材が設けられている。この第２部材は、上記下流側の周縁部から上記上流側の周縁部に向かって延出されている。そして、第１部材における上記空気流の下流側の端部と第２部材における当該空気流の上流側の端部とが建物高さ方向に重なっている。このため、吊戸本体部に設けられた溝部は、第１部材及び第２部材によって建物下方側から覆われることとなり、上記空気流が吊戸本体部の溝部の内側に流入するのを抑制することができる。
【００１８】
さらに、吊戸本体部の溝部における案内部が位置している箇所では、第１部材及び第２部材における当該箇所に位置している部分が当該案内部に追従して変形する。このため、第１部材と第２部材との境界部から案内部の溝部への挿入が許容されると共に、案内部が第１部材及び第２部材に対して相対移動しても、この状態を維持することが可能となる。
【００１９】
第６の態様に係る吊戸構造は、第１の態様に係る吊戸構造において、前記流入抑制部は、前記溝部を建物下方側から覆う板状でかつ弾性を有する覆い部で構成されていると共に、当該覆い部には、前記吊戸本体部の幅方向に沿って前記案内部を挿入可能な長孔部が形成されている。
【００２０】
第６の態様に係る吊戸構造では、吊戸本体部の溝部が、板状でかつ弾性を有する覆い部で建物下方側から覆われている。このため、吊戸本体部の外観を損なうことなく、吊戸本体部の下端面の建物下方側を流れる空気流が、当該下端面に設けられた溝部の内側に流入するのを抑制することができる。また、覆い部には、吊戸本体部の幅方向に沿って案内部を挿入可能な長孔部が形成されており、吊戸本体部が案内部に対して相対移動するときには、当該案内部は長孔部の内側を覆い部に対して相対移動することとなる。
【００２１】
第７の態様に係る建物は、建物の空調対象となる複数の空間部にそれぞれ設けられ、当該建物に設置された空調室内機に接続されて当該空調室内機で生成された空調空気を当該空間部に供給する給気部と、前記空調室内機に接続されて前記空間部の外側から当該空間部内の内気を取り込むと共に当該内気を還気として当該空調室内機に戻す還気部と、前記空間部の出入り口及び当該空間部の間仕切り位置の少なくとも一方に配置されていると共に請求項１〜請求項６の何れか１項に記載の吊戸構造が適用された吊戸と、を有している。
【００２２】
第７の態様に係る建物では、建物の空調対象となる複数の空間部にそれぞれ給気部が設けられており、当該給気部は、当該建物に設置された空調室内機に接続されていると共に、当該空調室内機で生成された空調空気を当該空間部に供給している。また、空間部内の内気は、その外側から空調室内機に接続された還気部で取り込まれると共に、還気として当該空調室内機に戻されるようになっている。このため、本態様では、空調室内機、給気部及び還気部を用いて建物の全館空調を行うことができる。
【００２３】
ここで、本態様では、上記空間部の出入り口及び当該空間部の間仕切り位置の少なくとも一方に、第１の態様〜第６の態様の何れか１態様に係る吊戸構造が適用された吊戸が配置されている。このため、本態様では、給気部から建物の空間部に空調空気が供給されるときや、当該空間部内の内気が還気部に取り込まれるときに、吊戸と建物の床部との間を流れる空気流による笛吹き音の発生を抑制することができる。
【発明の効果】
【００２４】
以上説明したように、第１の態様に係る吊戸構造では、通気性と静粛性との両立を図ることができるという優れた効果を有する。
【００２５】
第２の態様に係る吊戸構造では、吊戸本体部のスライド移動に対して影響を及ぼすことなく、当該吊戸本体部の溝部への空気流の流入を抑制することができるという優れた効果を有する。
【００２６】
第３の態様に係る吊戸構造では、突条部の位置決めを容易に行うことができるという優れた効果を有する。
【００２７】
第４の態様に係る吊戸構造では、風切り音の発生の抑制と安全性の確保との両立を図ることができるという優れた効果を有する。
【００２８】
第５の態様に係る吊戸構造では、吊戸本体部のスライド移動を許容しつつ、笛吹き音が抑制される確度を向上させることができるという優れた効果を有する。
【００２９】
第６の態様に係る吊戸構造では、吊戸の意匠性を確保しつつ、吊戸本体部の溝部への空気流の流入を抑制することができるという優れた効果を有する。
【００３０】
第７の態様に係る建物では、全館空調可能な建物において、通気性と静粛性との両立を図ることができるという優れた効果を有する。
【図面の簡単な説明】
【００３１】
【図１】第１実施形態に係る吊戸構造が適用された吊戸の要部を示す拡大側面図（図３の二点鎖線で囲んだ部分の拡大図）である。
【図２】第１実施形態に係る吊戸構造が適用された吊戸の構成を示す建物上方側から見た平面図である。
【図３】第１実施形態に係る吊戸構造が適用された吊戸の構成を示す側面図（図４の３方向矢視図）である。
【図４】第１実施形態に係る吊戸構造が適用された吊戸の構成を示す正面図である。
【図５】第１実施形態に係る建物の構成を模式的に示す断面図である。
【図６】第２実施形態に係る吊戸構造が適用された吊戸の要部を示す拡大側面図（図１に相当する拡大断面図）である。
【図７】第３実施形態に係る吊戸構造が適用された吊戸の要部を示す拡大側面図（図１に相当する拡大断面図）である。
【図８】第３実施形態に係る吊戸構造が適用された吊戸の要部を示す斜視図である。
【図９】第４実施形態に係る吊戸構造が適用された吊戸の要部を示す斜視図である。
【発明を実施するための形態】
【００３２】
＜第１実施形態＞
以下、図１〜図５を用いて、本発明の第１実施形態に係る建物１０の一例について説明する。
【００３３】
まず、本実施形態に係る「建物１０」の全体構造について説明する。図５に示されるように、本実施形態に係る建物１０は、基礎１２、一階部分１４、二階部分１６及び図示しない屋根部分を含んで、二階建住宅として構成されている。具体的には、建物１０は、基礎１２上に複数個の下階（一階部分１４）側の建物ユニットを据え付けた後に、当該下階側の建物ユニット上に複数個の上階（二階部分１６）側の建物ユニットを据え付けることにより構成されている。
【００３４】
また、一階部分１４は、廊下１８及び空間部としての「部屋２０、２２、２４」を含んで構成されており、これらのうち部屋２０、２２の出入り口には後述する「吊戸５６」が設けられていると共に、部屋２４の出入り口にはドア２６（開き戸）が設けられている。一方、二階部分１６は、廊下２８及び空間部としての「部屋３０、３２、３４」を含んで構成されており、これらのうち部屋３０、３２の出入り口にはドア２６が設けられていると共に、部屋３４の出入り口には吊戸５６が設けられている。なお、吊戸５６は、部屋２４の間仕切位置にも配置されている。また、一階部分１４及び二階部分１６に設けられたドア２６や吊戸５６は、廊下１８又は廊下２８に面して配置されているが、図５では便宜的にドア２６及び吊戸５６を水平方向に配列して示している。
【００３５】
さらに、本実施形態では、建物１０が全館空調システム３６を備えており、当該全館空調システム３６は、「空調室内機３８」、図示しない空調室外機、「給気部４０」及び「還気部４２」を含んで構成されている。
【００３６】
空調室内機３８は、一階部分１４側の廊下１８及び二階部分１６側の廊下２８の天井裏の空間にそれぞれ配置されており、当該空調室内機３８は、冷媒管４４によって屋外に配置された空調室外機に接続されている。
【００３７】
給気部４０は、一階部分１４を構成すると共に空調対象となる部屋２０、２２、２４の「天井部４６」及び二階部分１６を構成すると共に空調対象となる部屋３０、３２、３４」の「天井部４８」にそれぞれ設けられている。これらの給気部４０は、一階部分１４及び二階部分１６の天井裏に配置された空調ダクト５０を介して空調室内機３８に接続されており、当該空調室内機３８で生成された空気流としての「空調空気Ｗ１」を一階部分１４及び二階部分１６の空調対象となる各部屋に供給することが可能となっている。なお、一階部分１４では、各部屋に供給された空調空気Ｗ１は、ドア２６が設けられた部屋では、ドア２６と「床部５２」の間（アンダーカット）から、吊戸５６が設けられた部屋では吊戸５６と床部５２との間から、それぞれ廊下１８に流れていくようになっている。また、二階部分１６においても同様に、各部屋に供給された空調空気Ｗ１は、ドア２６と「床部５４」の間や吊戸５６と床部５４との間を通って、廊下２８に流れていくようになっている。
【００３８】
一方、還気部４２は、空調室内機３８に直接接続されており、一階部分１４及び二階部分１６の空調対象となる各部屋の内気をこれらの部屋の外側から取り込むと共に、当該内気を空気流としての「還気Ｗ２」として空調室内機３８に戻すことが可能となっている。なお、一階部分１４では、各部屋から流れ出す還気Ｗ２が、ドア２６が設けられた部屋では、ドア２６と床部５２の間から、吊戸５６が設けられた部屋では吊戸５６と床部５２との間から、それぞれ廊下１８に流れていくようになっている。また、二階部分１６においても同様に、各部屋から流れ出す還気Ｗ２が、ドア２６と床部５４の間や吊戸５６と床部５４との間を通って、廊下２８に流れていくようになっている。
【００３９】
そして、本実施形態では、部屋２０等に設けられた吊戸５６に本実施形態に係る吊戸構造が適用されている。以下、部屋２０に設けられた吊戸５６を一例として挙げて、本実施形態の要部である吊戸構造について詳細に説明する。
【００４０】
まず、図２〜図４を用いて吊戸５６の基本構造について説明する。吊戸５６は、「吊戸本体部５８」及び「吊車６０」を含んで構成されている。吊戸本体部５８は、木製とされていると共に、正面視で矩形の板状とされており、その長手方向を建物高さ方向とされて配置されている。この吊戸本体部５８の建物上方側の端部における当該吊戸本体部５８の幅方向両側の側面には、吊車６０を取り付けるためのＵ溝部６２が形成されている。一方、吊戸本体部５８の「下端面５８Ａ」には、当該吊戸本体部５８の幅方向に延びる下端面５８Ａの中心線に沿って、「溝部６４」が形成されている。なお、吊戸本体部５８におけるその幅方向一方側の周縁部には、取っ手６６が設けられている。
【００４１】
吊車６０は、後述するように「レール部８６」に載置されたローラー部６８と、当該ローラー部６８を支持する支持部７０と、当該支持部７０が取り付けられたケーシング部７２とを含んで構成されている。この吊車６０は、ケーシング部７２が、吊戸本体部５８のＵ溝部６２内に納まった状態で、当該ケーシング部７２がタッピングビス等の取付部材によって吊戸本体部５８に取り付けられることで固定されている。なお、吊車６０は、支持部７０を調整することで、ローラー部６８の吊戸本体部５８に対する位置を調整可能な構成とされている。
【００４２】
一方、部屋２０の廊下１８側の間仕切壁７４には、吊戸５６によって開放又は閉止される部屋２０の「出入り口７６」が形成されており、当該出入り口７６の周縁部には、吊戸５６が取り付けられる木製の戸枠７８が設けられている。この戸枠７８は、正面視で建物下方側が開放された矩形枠状に構成されており、出入り口７６の建物上方側の周縁部に沿って配置された上側枠部８０と、建物高さ方向に延在する一対の縦枠部８２とを含んで構成されている。
【００４３】
より詳しくは、上側枠部８０は、その長手方向の長さが吊戸本体部５８の幅方向の長さの２倍程度に設定されており、吊戸５６は開放状態及び閉止状態の何れの状態であっても戸枠７８内に納まるようになっている。なお、上側枠部８０は、天井部４６と連続して設けられた鴨居部に取り付けられていてもよいし、天井部４６に直接取り付けられていてもよく、部屋２０の構成に応じて種々の構成を取り得る。そして、上側枠部８０には、その長手方向から見た断面視で建物下方側に開放された矩形状とされていると共に当該長手方向に延びる溝部８４が形成されており、当該溝部８４の内側には、レール部８６が配置されている。
【００４４】
レール部８６は、鋼材で構成されており、その長手方向を上側枠部８０の長手方向とされて配置されていると共に、当該長手方向から見た断面形状が建物下方側に開放された矩形枠状に構成されている。より詳しくは、レール部８６は、底壁部８６Ａ、一対の側壁部８６Ｂ及び一対の延出壁部８６Ｃを含んで構成されている。底壁部８６Ａは、溝部８４を構成しかつ床部５２側に面する底面部８４Ａに沿って配置されており、側壁部８６Ｂは、当該溝部８４を構成しかつ間仕切壁７４の厚さ方向に互いに対向している側面部８４Ｂに沿って配置されている。また、延出壁部８６Ｃは、一対の側壁部８６Ｂの建物下方側の端部８６Ｂ１にそれぞれ設けられていると共に、一方の端部８６Ｂ１から他方の端部８６Ｂ１に向かって延出されている。なお、レール部８６は、その底壁部８６Ａの建物下方側からタッピングビス８８等の取付部材が上側枠部８０に螺入されることで取り付けられている。
【００４５】
そして、吊戸本体部５８は、レール部８６の建物下方側に、その幅方向をレール部８６の長手方向とされて配置された状態で、延出壁部８６Ｃの建物上方側に吊車６０のローラー部６８が載置されることで、レール部８６に支持されている。つまり、吊戸本体部５８は、その「上部５８Ｂ」が吊車６０によって吊り下げられた状態されていると共に、当該吊車６０によってレール部８６に沿ってスライド移動可能とされている。また、吊戸本体部５８がレール部８６に取り付けられた状態において、吊戸本体部５８の下端面５８Ａと床部５２との間には「所定の間隔Ｄ」が設けられるようになっている。なお、所定の間隔Ｄは、１０[ｍｍ]に設定されている。
【００４６】
一方、床部５２におけるレール部８６の建物下方側には、ピン部９０Ａと取付部９０Ｂとを含んで構成された「案内部９０」が設けられている。ピン部９０Ａは、建物上方側に突出されて吊戸本体部５８の溝部６４に挿入可能な円柱状とされており、取付部９０Ｂは、当該ピン部９０Ａの下端部に一体に設けられると共に平面視で矩形の板状とされている。この案内部９０は、吊戸５６が閉止された状態において、吊戸本体部５８の建物下方側の周縁部における取っ手６６と反対側の端部の近傍に位置するように配置されている。そして、案内部９０のピン部９０Ａは、吊戸本体部５８がレール部８６に取り付けられた状態において、溝部６４に挿入された状態となっている。これにより、吊戸本体部５８は、溝部６４に挿入されたピン部９０Ａによって案内された状態で、レール部８６に沿ってスライド移動することが可能となっている。なお、案内部９０は、その底壁部８６Ａの建物上方側からタッピングビス９２等の取付部材が床部５２に螺入されることで取り付けられている。
【００４７】
ここで、本実施形態では、吊戸本体部５８の下端面５８Ａに流入抑制部ならびに突条部としての「パッキン９４」が設けられている点に特徴がある。以下、図１を主に用いて、パッキン９４の構成について詳細に説明していくこととする。
【００４８】
このパッキン９４は、ゴム等の弾性を有する樹脂部材で構成されており、図２にも示されるように、吊戸本体部５８の溝部６４における部屋２０側の周縁部６４Ａに沿って配置されている。換言すれば、パッキン９４は、溝部６４における空調空気Ｗ１及び還気Ｗ２の上流側の周縁部６４Ａに配置されている。また、パッキン９４は、その長手方向（吊戸本体部５８の幅方向）から見た断面形状が床部５２側に凸となる半円状とされている。詳しくは、パッキン９４は、その建物上方側を構成しかつ平面視で矩形の板状とされた上壁部９４Ａと、その建物下方側を構成しかつ半円筒状に構成された周壁部９４Ｂとを含んで筒状に構成されている。
【００４９】
さらに、パッキン９４の吊戸本体部５８の厚さ方向の「長さＬ１」は、溝部６４の周縁部６４Ａから吊戸本体部５８の下端面５８Ａにおける部屋２０側（空調空気Ｗ１及び還気Ｗ２の上流側）の周縁部５８Ａ１までの「長さＬ２」と同じ長さに設定されている。なお、パッキン９４は、その上壁部９４Ａが、図示しない接着剤等の接合部によって吊戸本体部５８の下端面５８Ａに接合されることで固定されている。また、パッキン９４の建物下方側の頂点と床部５２との間隔Ｓは、４．５[ｍｍ]≦Ｓ＜７[ｍｍ]となるように設定されている。
【００５０】
＜本実施形態の作用及び効果＞
次に、本実施形態の作用並びに効果を説明する。
【００５１】
本実施形態では、建物１０の天井部４６側にレール部８６が設けられており、建物１０の床部５２におけるレール部８６の建物下方側には、建物上方側に突出されたピン部９０Ａを備えた案内部９０が設けられている。そして、レール部８６の建物下方側には、吊戸本体部５８がその幅方向をレール部８６の長手方向とされて配置されており、吊戸本体部５８の上部５８Ｂが吊車６０を介してレール部８６に吊り下げられている。一方、吊戸本体部５８の下端面５８Ａには、案内部９０のピン部９０Ａを挿入可能とされた溝部６４が吊戸本体部５８の幅方向に沿って設けられており、吊戸本体部５８は、溝部６４に挿入された案内部９０のピン部９０Ａによって案内された状態で、レール部８６に沿ってスライド移動することが可能となっている。このため、本実施形態に係る吊戸構造では、開き戸を開閉する場合と比し、開閉の際の体の動きを少なくすることができる。また、吊戸本体部５８は、その下端面５８Ａと床部との間に所定の間隔Ｄが設けられた状態で配置されているため、当該下端面５８Ａと床部５２との間に空気の流入経路を確保することができる。
【００５２】
ところで、上述したような吊戸構造では、吊戸５６が閉止された状態において、空調空気Ｗ１や還気Ｗ２が吊戸本体部５８に設けられた溝部６４の建物下方側を流れると当該溝部６４の内側に空調空気Ｗ１や還気Ｗ２が流入し、笛吹き音が発生することが考えられる。
【００５３】
ここで、本実施形態では、パッキン９４によって、吊戸本体部５８の下端面５８Ａの建物下方側、より具体的には当該下端面５８Ａの近傍を流れる空調空気Ｗ１や還気Ｗ２が、当該吊戸本体部５８の溝部６４の内側に流入するのを抑制することができる。その結果、吊戸本体部５８の建物下方側を流れる空調空気Ｗ１や還気Ｗ２による笛吹き音の発生を抑制することができる。したがって、本実施形態では、通気性と静粛性との両立を図ることができる。
【００５４】
具体的に説明すると、本実施形態では、床部５２に向かって凸となるパッキン９４が、吊戸本体部５８の下端面５８Ａに設けられた溝部６４における周縁部６４Ａに沿って配置されている。このため、吊戸本体部５８の下端面５８Ａの建物下方側を流れる空調空気Ｗ１や還気Ｗ２は、パッキン９４における空調空気Ｗ１や還気Ｗ２の上流側の面に当たることでパッキン９４から剥離した状態となり、下端面５８Ａから離れるように流れていく。したがって、本実施形態では、吊戸本体部５８のスライド移動に対して影響を及ぼすことなく、吊戸本体部５８の溝部６４への空気流の流入を抑制することができる。
【００５５】
また、本実施形態では、パッキン９４の吊戸本体部５８の厚さ方向の長さＬ１が、当該吊戸本体部５８の下端面５８Ａに設けられた溝部６４における周縁部６４Ａから当該下端面５８Ａにおける周縁部５８Ａ１までの長さＬ２と同じ長さに設定されている。このため、パッキン９４を吊戸本体部５８の下端面５８Ａに配置するときには、当該下端面５８Ａの周縁部５８Ａ１及び溝部６４の周縁部６４Ａを位置決めの基準として用いることができる。したがって、本実施形態では、パッキン９４の位置決めを容易に行うことができる。なお、ここでいう同じ長さとは、上記効果が得られる程度の長さを示しており、本実施形態は、パッキン９４の長さＬ１が周縁部６４Ａから周縁部５８Ａ１までの長さＬ２と全く同じ寸法とされた構成のみでなく、寸法Ｌ１と寸法Ｌ２とが上記効果が得られる範囲で異なる構成も取り得る。
【００５６】
さらに、本実施形態では、パッキン９４の吊戸本体部５８の幅方向から見た断面形状が床部５２側に凸となる半円状とされており、当該断面形状が矩形状等にされている場合と比し、パッキン９４に沿って流れる空調空気Ｗ１や還気Ｗ２が乱流となることを抑制することができる。その結果、空調空気Ｗ１や還気Ｗ２がパッキン９４の近傍を通過するときに風切り音が発生することを抑制することができる。また、パッキン９４は、上述した断面形状とされていることに加え、弾性部材で構成されているため、使用者の足部の指等が当該突条部とぶつかっても当該足部が受ける衝撃が緩和される。したがって、本実施形態では、風切り音の発生の抑制と安全性の確保との両立を図ることができる。
【００５７】
加えて、本実施形態では、全館空調システム３６を備えており、建物１０の空調対象となる複数の部屋２０、２２、２４、３０、３２、３４にそれぞれ当該全館空調システム３６の一部を構成する給気部４０が設けられている。そして、給気部４０は、建物１０に設置された空調室内機３８に接続されていると共に、当該空調室内機３８で生成された空調空気Ｗ１を上記の部屋に供給している。また、各部屋内の内気は、その外側から空調室内機３８に接続された還気部４２で取り込まれると共に、還気Ｗ２として当該空調室内機３８に戻されるようになっている。このため、本実施形態では、空調室内機３８、給気部４０及び還気部４２を含んで構成された全館空調システム３６を用いて建物１０の全館空調を行うことができる。
【００５８】
ここで、本実施形態では、部屋２４、３０、３２の出入り口及び部屋３４の間仕切位置に本実施形態に係る吊戸構造が適用された吊戸５６が配置されている。このため、本実施形態では、給気部４０から部屋２４、３０、３２に空調空気Ｗ１が供給されるときや、部屋２４、３０、３２内の内気が還気Ｗ２として還気部４２に取り込まれるときに、吊戸５６と床部５２との間を流れる空気流による笛吹き音の発生を抑制することができる。したがって、本実施形態では、全館空調可能な建物１０において、通気性と静粛性との両立を図ることができる。
【００５９】
＜第２実施形態＞
次に、図６を用いて本発明の第２実施形態に係る吊戸構造が適用された「吊戸１００」の構成について説明する。なお、上述した第１実施形態と同一構成部分については、同一の番号を付してその説明を省略する。
【００６０】
本実施形態では、流入抑制部が「第１部材１０２」及び「第２部材１０４」の２つの部材を含んで構成されている点に特徴がある。具体的に説明すると、第１部材１０２は、ゴム等の弾性を有する樹脂部材で構成されている。また、第１部材１０２は、吊戸本体部５８の溝部６４の周縁部６４Ａに沿って設けられていると共に、当該周縁部６４Ａから溝部６４の廊下１８側（空調空気Ｗ１及び還気Ｗ２の下流側）の周縁部６４Ｂに向かって延出された平面視で矩形の板状に形成されている。
【００６１】
一方、第２部材１０４は、第１部材１０２と同じくゴム等の弾性を有する樹脂部材で構成されている。また、また、第２部材１０４は、溝部６４の周縁部６４Ｂに沿って設けられていると共に、当該周縁部６４Ｂから溝部６４の周縁部６４Ｂに向かって延出された平面視で矩形の板状に形成されている。そして、第１部材１０２における廊下１８側（空調空気Ｗ１及び還気Ｗ２の下流側）の端部１０２Ａと第２部材１０４における部屋２０側（空調空気Ｗ１及び還気Ｗ２の上流側）の端部１０４Ａとが、端部１０２Ａが端部１０４Ａの建物下方側に配置された状態で建物高さ方向に重なっている。なお、第１部材１０２及び第２部材１０４は、第１部材１０２の端部１０２Ａが、第２部材１０４の端部１０４Ａの建物上方側に位置するように配置されていてもよい。
【００６２】
このような構成によれば、吊戸本体部５８に設けられた溝部６４は、第１部材１０２及び第２部材１０４によって建物下方側から覆われることとなり、空調空気Ｗ１及び還気Ｗ２が吊戸本体部５８の溝部６４の内側に流入するのを抑制することができる。
【００６３】
さらに、吊戸本体部５８の溝部６４における案内部９０のピン部９０Ａが位置している箇所では、第１部材１０２及び第２部材１０４における当該箇所に位置している部分が当該ピン部９０Ａに追従して変形する。換言すれば、この状態では、第１部材１０２及び第２部材１０４が、案内部９０のピン部９０Ａに押圧されて建物上方側に曲がった状態となっている。このため、第１部材１０２と第２部材１０４との境界部から案内部９０のピン部９０Ａの溝部６４への挿入が許容されると共に、吊戸１００のスライド移動によって、案内部９０が第１部材１０２及び第２部材１０４に対して相対移動しても、この状態を維持することが可能となる。したがって、本実施形態では、吊戸本体部のスライド移動を許容しつつ、笛吹き音が抑制される確度を向上させることができる。
【００６４】
＜第３実施形態＞
次に、図７及び図８を用いて本発明の第３実施形態に係る吊戸構造が適用された「吊戸１１０」の構成について説明する。なお、上述した第１実施形態と同一構成部分については、同一の番号を付してその説明を省略する。
【００６５】
本実施形態では、流入抑制部が「長孔部１１４」が形成された「覆い部１１２」で構成されている点に特徴がある。具体的に説明すると、覆い部１１２は、ゴム等の弾性を有する樹脂部材で構成されると共に、建物高さ方向から見て、その周縁部が吊戸本体部５８の下端面５８Ａの周縁部と重なる矩形の板状とされて、当該下端面５８Ａを建物下方側から覆っている。また、長孔部１１４は、その短手方向の長さＳが案内部９０のピン部９０Ａの直径よりも僅かに大きい長さに設定されて当該ピン部９０Ａを挿入可能とされていると共に、覆い部１１２の長手方向に延びる中心線に沿う矩形状に形成されている。そして、覆い部１１２は、図示しない接着剤等の接合部によって吊戸本体部５８に接合されており、当該覆い部１１２が吊戸本体部５８に取り付けられた状態において、長孔部１１４は、吊戸本体部５８の長手方向に沿った状態となっている。
【００６６】
このような構成によれば、吊戸本体部５８の外観を損なうことなく、吊戸本体部５８の下端面５８Ａの建物下方側を流れる空調空気Ｗ１や還気Ｗ２が、当該下端面５８Ａに設けられた溝部６４の内側に流入するのを抑制することができる。また、覆い部１１２には、吊戸本体部５８の幅方向に沿って案内部９０のピン部９０Ａを挿入可能な長孔部１１４が形成されており、吊戸本体部５８が案内部９０に対して相対移動するときには、ピン部９０Ａは長孔部１１４の内側を覆い部１１２に対して相対移動することとなる。このため、本実施形態では、吊戸１１０の意匠性を確保しつつ、吊戸本体部５８の溝部６４への空気流の流入を抑制することができる。さらに、覆い部１１２は、弾性を有する部材で構成されているため、吊戸１１０がスライド移動するときにガタついても、吊戸本体部５８と案内部９０のピン部９０Ａとの吊戸本体部５８の厚さ方向の相対変位を覆い部１１２で吸収することができる。
【００６７】
＜第４実施形態＞
次に、図９を用いて参考例としての本発明の第４実施形態に係る吊戸構造が適用された「吊戸１２０」の構成について説明する。なお、上述した第１実施形態と同一構成部分については、同一の番号を付してその説明を省略する。
【００６８】
本実施形態では、流入抑制部が「ブラシ部１２２」で構成されている点に特徴がある。具体的に説明すると、ブラシ部１２２は、弾性を有する樹脂繊維で毛状に構成された複数のブラシ繊維１２４で構成されている。これらの、ブラシ繊維１２４は、吊戸本体部５８の溝部６４における吊戸本体部５８の厚さ方向に互いに対向している側面部６４Ｃの少なくとも一方側において、その建物下方側の周縁部に沿って配設されている。
【００６９】
このような構成によれば、吊戸本体部５８の下端面５８Ａの建物下方側を流れる空調空気Ｗ１や還気Ｗ２が、溝部６４の内側に向かって流れても、空調空気Ｗ１や還気Ｗ２がブラシ部１２２で乱され、笛吹き音の発生を抑制することができる。また、ブラシ部１２２を構成するブラシ繊維１２４は、案内部９０のピン部９０Ａに押圧されると弾性変形するため、案内部９０のピン部９０Ａの溝部６４への挿入が許容される。
【００７０】
＜上記実施形態の補足説明＞
（１）  上述した第１実施形態では、吊戸本体部５８の下端面５８Ａに設けられた溝部６４における周縁部６４Ａに沿って、断面形状が床部５２側に凸となる半円状のパッキン９４を配置したが、パッキン９４の形状はこれに限らない。一例として、パッキン９４の形状を下端面５８Ａの周縁部５８Ａ１から溝部６４の周縁部６４Ａに向かって拡幅された三角形状とする等種々の構成を取り得る。また、パッキン９４の代わりに、半円柱状や四角柱状のゴム材を配置する構成としてもよい。
【００７１】
（２）  また、上述した第１実施形態に係る建物１０に設けられた全館空調システム３６を構成する給気部４０や還気部４２の配置箇所も上述したものに限らない。例えば、給気部４０を廊下１８に配置し、還気部４２を部屋２０に配置する構成も取り得る。なお、この場合には、パッキン９４は、吊戸本体部５８の溝部６４における周縁部６４Ａの反対側の周縁部６４Ｂに沿って配置される。
【００７２】
（３）  さらに、上述した第３実施形態では、覆い部１１２が弾性を有する部材で構成されていたが、吊戸１１０のスライド移動時のガタつきを十分に抑制可能な構成であれば、当該覆い部１１２を弾性変形しない部材で構成してもよい。
【符号の説明】
【００７３】
１０      建物
２０      部屋（空間部）
２２      部屋（空間部）
２４      部屋（空間部）
３０      部屋（空間部）
３２      部屋（空間部）
３４      部屋（空間部）
３８      空調室内機
４０      給気部
４２      還気部
４６      天井部
４８      天井部
５２      床部
５４      床部
５６      吊戸
５８      吊戸本体部
５８Ａ    下端面
５８Ｂ    上部
６０      吊車
６４      溝部
７６      出入り口
８６      レール部
９０      案内部
９４      パッキン（流入抑制部、突条部）
１００    吊戸
１０２    第１部材（流入抑制部）
１０４    第２部材（流入抑制部）
１１０    吊戸
１１２    覆い部
１１４    長孔部
１２０    吊戸
１２２    ブラシ部（流入抑制部）
Ｄ        所定の間隔
Ｌ１      長さ（吊戸本体部の厚さ方向の長さ）
Ｌ２      長さ（溝部の上流側の周縁部から下端面における上流側の周縁部までの長さ）
Ｗ１      空調空気（空気流）
Ｗ２      還気（空気流）
【図１】
0006616223.tif 000002
【図２】
0006616223.tif 000003
【図３】
0006616223.tif 000004
【図４】
0006616223.tif 000005
【図５】
0006616223.tif 000006
【図６】
0006616223.tif 000007
【図７】
0006616223.tif 000008
【図８】
0006616223.tif 000009
【図９】
0006616223.tif 000010